(57)【要約】【課題】必要なときに引き出して利用することが可能なスライド式補助カウンターにおいて、十分な支持強度を確保すると共に引き出されたカウンターが不用意に戻されることがないようにする。【解決手段】キッチン設備（バックカウンター１）のカウンター下に設けられた収容空間３に対して、正面から引き出し可能に設けられるスライド式補助カウンター４を、天板８と、この天板８の両側に固定されて下部にキャスター９が設けられた支持脚１０と、天板８が収容空間３から所定位置に引き出された状態でキッチン設備との相対位置を固定するロック機構１２とを有して構成する。【選択図】        図２
2004357738.tif 000002
【特許請求の範囲】
【請求項１】
キッチン設備のカウンターの位置より下方に設けられた収容空間に対して、正面から引き出し可能に設けられるスライド式補助カウンターにおいて、
天板と、この天板の両側に固定されて下部にキャスターが設けられた支持脚と、前記天板が前記収容空間から所定位置に引き出された状態で前記キッチン設備との相対位置を固定するロック機構とを有することを特徴とするスライド式補助カウンター。
【請求項２】
前記収容空間を画成する壁面とこの壁面に対峙する前記支持脚及び前記天板の少なくとも一方との間に引き出し方向に延設されたスライドレールを設けたことを特徴とする請求項１記載のスライド式補助テーブル。
【請求項３】
前記キッチン設備は、シンクカウンターと所定距離を隔てて設けられたバックカウンターであることを特徴とする請求項１記載のスライド式補助テーブル。
【発明の詳細な説明】
【０００１】
【発明の属する技術分野】
この発明は、Ｉ型シンクカウンターの反対側に設けられるバックカウンターなどのキッチン設備のカウンター下に設けられた収容空間に収容されるスライド式補助カウンターに関する。
【０００２】
【従来の技術】
Ｉ型キッチンでは、シンクカウンターの反対側に、カウンタータイプのシステムストッカーなどで代表されるようなバックカウンターが設けられる場合が多い。従来においては、作業の利便性を考慮して、シンクカウンターとバックカウンターとの距離を９０〜１２０ｃｍに設定する場合が多いが、キッチンを複数人で利用する場合には、シンクカウンターとバックカウンターとの距離を１２０ｃｍに設定しておくことが好ましく、一人でキッチンを利用する場合には、作業動線を考えると、同距離を９０ｃｍに設定することが好ましい。このため、このような多様な状況に対応できるキッチン設備を構築する場合には、スライド式の補助カウンターを設置することが有効である。
【０００３】
従来、スライド式の補助カウンターとしては、引き出し自在のカウンター板をキッチンキャビネットに設けるものなどが考えられており（特許文献１）、上述の場合においても、このような構成を適用することが有効である。
【０００４】
【特許文献１】
実開昭５９ー１８２２３３号公報
【０００５】
【発明が解決しようとする課題】
しかしながら、上述した構成においては、重いものを載せると天板が前方にきしむなど支持が不十分であり、安定性が悪いものであった。また、カウンターに水平方向に力が加わると、引き出されたカウンターが戻されてしまい、カウンター上に載せたものが倒れたり、床に落ちる等の不都合がある。
【０００６】
そこで、この発明においては、必要なときに引き出して利用することが可能なスライド式補助カウンターにおいて、十分な支持強度を確保すると共に引き出されたカウンターが不用意に戻されることがないようにすることを主たる課題としている。
【０００７】
【課題を解決するための手段】
上記課題を達成するために、この発明にかかるスライド式補助カウンターは、キッチン設備のカウンターの位置より下方に設けられた収容空間に対して、正面から引き出し可能に設けられるものであって、天板と、この天板の両側に固定されて下部にキャスターが設けられた支持脚と、前記天板が前記収容空間から所定位置に引き出された状態で前記キッチン設備との相対位置を固定するロック機構とを有することを特徴としている（請求項１）。
【０００８】
したがって、収容空間から引き出される天板は、キャスターが下部に設けられた支持脚が両側に固定されているので、十分な支持強度が確保され、天板に重量の重い物を載せた場合においても前方にきしむような不都合はない。また、天板が収容空間から所定位置に引き出された状態でキッチン設備との相対位置がロック機構により固定されるので、水平方向に力が加わった場合においても、不用意に天板が戻されてしまう不都合がなくなる。
【０００９】
尚、上述した構成において、補助カウンターの引き出しをスムーズに行うために、収容空間を画成する壁面とこの壁面に対峙する支持脚及び天板の少なくとも一方との間に引き出し方向に延設されたスライドレールを設けることが好ましい（請求項２）。
【００１０】
また、このような構成は、既存のキッチン設備のカウンターに対して補助的に設けられるものであり、シンクカウンターと所定距離を隔てて設けられたバックカウンターなどに利用する場合に適している（請求項３）。
【００１１】
【発明の実施の形態】
以下、この発明の実施の態様を図面に基づいて説明する。図１乃至図３において、Ｉ型キッチンのシンクカウンターと所定距離を隔てて反対側に設けられたテーブルタイプのシステムストッカーによって構成されるバックカウンター１が示され、このバックカウンター１のカウンター２の位置よりも下方に形成された収容空間３にスライド式の補助カウンター４が配設されている。
【００１２】
収容空間３は、バックカウンター１のカウンター２を構成する天板５と、この天板５の一方の側に設けられたストッカー部６と、天板５の他方の側に設けられた側板７と、床面とによって囲まれて画成された断面略矩形状の空間であり、通常においては、図示しないダストボックスや椅子などを収容するスペースとして利用される部分である。
【００１３】
スライド式補助カウンター４は、天板８とこの天板８の底面両側（下面両側）に固定されて下部にキャスター９が設けられた支持脚１０とを有して構成されており、収容空間３を画成する壁面（この例においては、ストッカー部６の側壁面６ａ及び側板７の内側面７ａ）とこの壁面に対峙する支持脚１０及び天板８との間に（ストッカー部６の側壁面６ａとこれに対峙する支持脚１０及び天板８との間、及び、側板７の内側面とこれに対峙する支持脚１０及び天板８との間に）スライドレール１１が設けられている。このスライドレール１１は、それ自体公知のもので、例えば、図４にも示されるように、収容空間３を構成する壁面に対して引き出し方向に延設された内側取付レール１１ａと、この内側取付レール１１ａと摺動自在に係合するよう支持脚１０の側面、及び、天板８の側部に固設された引出し取付レール１１ｂとにより構成され、補助カウンター４のスムーズな進退運動を可能にしている。
【００１４】
また、補助カウンター４には、天板８が収容空間３から所定位置に引き出された状態でバックカウンター１との相対位置を固定するロック機構１２が設けられている。このロック機構１２は、図５に示されるように、例えば、バックカウンター１の側板７の前端に固定された受け具１３と、補助カウンター４の天板５の下面に固定されて前記受け具１３に係合可能な可動片１４ａを備えた操作具１４とからなるラッチによって構成されているもので、補助カウンター４を所定位置まで引き出した後に、操作具１４を操作して可動片１４ａを受け具１３の孔１３ａに係合させる構成となっている。
【００１５】
以上の構成において、バックカウンター１の手前にスベースを広く確保したい場合には、補助カウンター４をバックカウンター１の収容空間３に収容した状態にしておく。この状態においては、補助カウンター４によってバックカウンター１の通常の機能が損なわれることがない。
【００１６】
これに対して、補助的な配膳台や調理台などとして補助カウンター４を利用したい場合には、収容空間３に収容された補助カウンター４を正面に引き出し、所定位置まで引き出した後にロック機構１２を操作して補助カウンター４とバックカウンター１の相対位置を固定する。
【００１７】
この状態において引き出された天板８は、キャスター９が設けられた支持脚１０によって両側が下方から支持されているので、天板８に重量の重い物を載せた場合においても前方にきしむ不都合はなく、十分な支持強度が確保される。また、補助カウンター４は、ロック機構１２によりバックカウンター１との相対位置が固定されるので、水平方向に力が加わった場合においても、不用意に天板８が収容空間３へ戻されてしまう不都合がなくなり、天板上に載せたものが、倒れたり、床に落ちる等の不都合がなくなる。
【００１８】
さらに、上述の補助カウンター４によれば、天板８とその両側に固定された支持脚１０とにより構成されているので、天板８や支持脚１０によって囲まれた部分に断面略矩形状の空間を確保することが可能となり、この空間にダストボックスなどを収容することで、バックカウンター１の既存の利用方法を承継することが可能となる。また、収容空間３にダストボックスなどが配されていても、補助カウンター４を引き出した状態においては、天板８の引出し量に見合うスペースを足元に確保することが可能となるので、椅子に腰掛けて作業する作業台として利用したり、簡単な食事をここで済ませることなどが可能となる。
【００１９】
尚、上述の構成においては、Ｉ型キッチンのバックカウンターに利用した構成例を示したが、カウンターの位置よりも下方に収容空間が設けられる他のキッチン設備に対しても、同様の構成のスライド式補助カウンターを設けるようにしてもよい。また、ラッチ錠も上述した構成に限定されるものではなく、他のラッチ錠で代用してもよい。さらに、補助カウンター４の天板８には、図６に示されるように、出し入れの操作を容易にするために、正面に取っ手２０や凹部２１のいずれか一方又は両方を設けるようにしてもよい。
【００２０】
また、上述の構成においては、スライドレール１１が補助カウンターの両側で上下の２箇所に設けられているが、それぞれの側において一箇所づつ設けるようにしてもよい。即ち、収容空間を画成する壁面（ストッカー部６の側壁面６ａ及び側板７の内側面７ａ）とこの壁面に対峙する支持脚１０及び天板８のいずれか一方との間にスライドレール１１を設けるようにしてもよい。さらに、上述の構成においては、スライドレール１１の引出し取付レール１１ｂを天板８の側部や支持脚１０の側面から突出するように固定しているが、図７に示されるように、天板８の側部及び支持脚１０の側面に溝２２を形成し、この溝２２に引出し取付レール１１ｂを嵌め込むように取り付けてもよい。このような構成によれば、スライドレール１１の構成部材の一部が支持脚１０や天板８に埋設されるので、収容空間３を構成する壁面（ストッカー部６の側壁面６ａ及び側板７の内側面７ａ）と補助カウンタ４との間隔を狭めることが可能となり、より精巧な構成を提供できると共に収容空間３の有効な利用が可能となる。
【００２１】
【発明の効果】
以上述べたように、この発明によれば、キッチン設備のカウンター下に設けられた収容空間に対して、正面から引き出し可能に設けられるスライド式補助カウンターを、天板とこの天板の両側に固定されて下部にキャスターを有する支持脚とを備えて構成すると共に、天板が収容空間から所定位置に引き出された状態でキッチン設備との相対位置をロック機構により固定可能としたので、天板が引き出された状態においても十分な支持強度を確保することができ、重いものを載せても天板が前方へきしむ不都合がなくなる。また、水平方向の力がかかった場合においても、不用意に天板が戻されることがなくなり、カウンター上に載せたものが倒れたり、床に落ちる等の不都合がなくなる。
【図面の簡単な説明】
【図１】図１は、本発明にかかるスライド式補助カウンターをＩ型キッチンのバックカウンターに用いた構成例を示す斜視図であり、補助カウンターをバックカウンターの収容空間に収容した状態を示す図である。
【図２】図２は、図１の適用例に対して、補助カウンターをバックカウンターの収容空間から引き出した状態を示す斜視図である。
【図３】図３は、図１及び図２に係る構成例に用いられるバックカウンターと補助カウンターとを分離した状態を示す分解斜視図である。
【図４】図４は、補助カウンターの支持脚の下部に設けられたキャスターとスライドレールの部分を示す拡大斜視図である。
【図５】図５は、ロック機構の具体例を示す斜視図である。
【図６】図６は、変形例としての補助カウンターの天板正面付近を示す斜視図である。
【図７】図７は、スライドレールの取り付け構造の他の例を示す斜視図であり、図７（ａ）は補助カウンタの全体構成を示す図であり、図７（ｂ）は補助カウンターの支持脚の下部に設けられたスライドレールの部分を示す拡大斜視図である。
【符号の説明】
１  バックカウンター
２  カウンター
３  収容空間
４  補助カウンター
８  天板
９  キャスター
１０  支持脚
１１  スライドレール
１２  ロック機構
【図１】
2004357738.tif 000003
【図２】
2004357738.tif 000004
【図３】
2004357738.tif 000005
【図４】
2004357738.tif 000006
【図５】
2004357738.tif 000007
【図６】
2004357738.tif 000008
【図７】
2004357738.tif 000009